(57)【要約】【課題】本発明は、アースリングを不要とし、且つ、アースの成形が容易に行える電磁流量計を提供することを目的とする。【解決手段】被測定流体を流し、その両端部にフランジ１ａを有する測定管１と、測定管の内面に樹脂を内張りしたライニング材４と、測定管の管軸と直交する平面と、測定管の管軸方向の中心の管壁内面とが交差する位置で、前記被測定流体に接液して対向して設けられる一対の検出電極５と、測定管の内面に複数の箇所で固定され、モールド成形される前記ライニング材に埋設されて前記ライニング材を係止する円筒型の補強材３とを備え、補強材は、その両端部内周において、測定管の管軸中心方向に突起したアース用凸部３ｂを備え、ライニング材は、アース用凸部が接液可能な位置に埋設し、測定管からアースを取り出すようにしたことを特徴とする電磁流量計。【選択図】  図１
2011209243.tif 000002
【特許請求の範囲】
【請求項１】
被測定流体を流し、その両端部にフランジを有する測定管と、
前記測定管の内面に樹脂を内張りしたライニング材と、
前記測定管の管軸と直交する平面と、前記測定管の管軸方向の中心の管壁内面とが交差する位置で、前記被測定流体に接液して対向して設けられる一対の検出電極と、
前記測定管の内面に複数の箇所で固定され、モールド成形される前記ライニング材に埋設されて前記ライニング材を係止する円筒型の補強材と
を備え、
前記補強材は、その両端部内周において、前記測定管の管軸中心方向に突起したアース用凸部を備え、前記ライニング材は、前記アース用凸部が接液可能な位置に埋設し、前記測定管からアースを取り出すようにしたことを特徴とする電磁流量計。
【請求項２】
前記アース用凸部の接液面部を耐食性金属とした請求項１に記載の電磁流量計。
【請求項３】
前記アース用凸部の接液面部を内周全周とした請求項１に記載の電磁流量計。
【請求項４】
前記補強材は、複数に分割された円筒型に成形し、前記アース用凸部の接液面部の断面形状が、一対の前記検出電極軸平面に対して管軸方向の各点において対称な形状とした請求項１に記載の電磁流量計。
【発明の詳細な説明】
【技術分野】
【０００１】
本発明は、電磁流量計に関し、特に、アースリングを改良した電磁流量計検出器に関する。
【背景技術】
【０００２】
従来の電磁流量計検出器の測定管は、第４図に示すように、測定管２１の内面から測定管フランジ２１ａ端面の半径方向途中位置にわたってライニング材２２をライニングし、測定管フランジ２１ａに沿ったライニングフレア部２２ａを、測定管フランジ２１ａにねじ止めされたアースリング２３で押えるようにしていた。
【０００３】
しかしながら、この従来技術では、測定管２１の口径が大きくなるとアースリング２３を厚くしてライニングフレア２２ａを十分押えるようにしないとアースリング２３とライニングフレア部２２ａ間のシールが難しかった。
【０００４】
そのため、口径が大きくなる程、大寸法のステンレス材からの切削加工になり、材料費および加工コストの両面からアースリングが高価なものになる問題点があった。
【０００５】
一般に、アースリングは、リング状の接液電極、アースプレート、接液電極等を総称し、通常は、電磁流量計検出器とこの相手配管との間に介在するものを言う。
【０００６】
このようなアースリング２３の問題点を解決するために、図５に示すように測定管２１の端末寄り位置のライニング材２２表面にアース用電極２８を液密に装着し、このアース用電極２８に接続したリード線２５を、ライニング材２２を貫通させ、ライニング材２２と測定管２１内面の間を経由させて測定管フランジ２１ａ端面に沿ってその外周面まで導出するように構成した電磁流量計がある（例えば、特許文献１参照。）。
【０００７】
また、特許文献１に開示された電磁流量計のライニング材２２の成形方法については、測定管２１の管内が大気圧以下になった場合に測定管２１から剥離することがあるため、ライニング材２２内に埋設される補強材の成形方法を改良した技術が開示されている（例えば、特許文献２参照。）。
【先行技術文献】
【特許文献】
【０００８】
【特許文献１】特公平７−８９０６９号公報
【特許文献２】特公平３−１２４公報
【発明の概要】
【発明が解決しようとする課題】
【０００９】
特許文献１に開示されたアース用電極を用いて設置電位とする構造の場合、従来のアースリングが不要とできるものではあるが、ライニング材を貫通させるアース用電極とこの電極に接続されるリード線を測定間とライニング材との間を測定管に沿って引き出す構造であるため、新たなアース部材とその成形工程が必要となるだけでなく、シールを要するアース用電極部の成形が難しくなる問題点がある。
【００１０】
また、アース用電極による接液面は、その接液面積が小さくなるため、電気伝導度が低くなるほどアース抵抗が大きくなり、電磁流量計の検出電極に対するアースとしての性能が劣化する問題がある。
【００１１】
本発明は上述した問題点を解決するためになされたもので、アースリングを不要とし、且つ、アースの成形が容易に行える電磁流量計を提供することを目的とする。
【課題を解決するための手段】
【００１２】
上記目的を達成するために、本発明の電磁流量計は、被測定流体を流し、その両端部にフランジを有する測定管と、前記測定管の内面に樹脂を内張りしたライニング材と、前記測定管の管軸と直交する平面と、前記測定管の管軸方向の中心の管壁内面とが交差する位置で、前記被測定流体に接液して対向して設けられる一対の検出電極と、前記測定管の内面に複数の箇所で固定され、モールド成形される前記ライニング材に埋設されて前記ライニング材を係止する円筒型の補強材とを備え、前記補強材は、その両端部内周において、前記測定管の管軸中心方向に突起したアース用凸部を備え、前記ライニング材は、前記アース用凸部が接液可能な位置に埋設し、前記測定管からアースを取り出すようにしたことを特徴とする。
【発明の効果】
【００１３】
以上説明したように、本発明によれば、アースリングを不要とし、且つ、アース用電極の成形が容易に行える電磁流量計を提供することができる。
【図面の簡単な説明】
【００１４】
【図１】本発明の電磁流量計検出器の実施例１のアース構造の説明図。
【図２】本発明の電磁流量計検出器の実施例１のアース用電極部の変形例。
【図３】本発明の電磁流量計検出器の実施例２のアース用電極部の説明図。
【図４】アースリングを備えた従来の電磁流量計検出器。
【図５】従来のアース用電極を備えた電磁流量計検出器。
【発明を実施するための形態】
【００１５】
以下、本発明の実施例について、図面を参照して説明する。
【実施例１】
【００１６】
図１に本発明の実施例１の電磁流量計検出器の構造を示す。本発明の電磁流量計検出器は、被測定流体を流し、その両端部にフランジ１ａを有する測定管１と、測定管１の内面に樹脂を内張りしたライニング材４と、測定管１の管軸と直交する平面と、測定管１の管軸方向の中心の管壁内面とが交差する位置で、被測定流体に接液して対向して設けられる一対の検出電極５と、測定管１の内面に複数の箇所で固定され、モールド成形されるライニング材４に埋設されてライニング材４を係止する円筒型の補強材３とを備える。
【００１７】
さらに、図示しない測定管１の外部管壁から検出電極及び管軸方向に直交する方向に磁界を印加する励磁部と、検出電極５間で検出される起電力を増幅する検出回路部とを備える。
【００１８】
図１のライニング前の断面図上部、及び図１Ａ部詳細に示すように、円筒型補強材３は、測定管１の内壁面の複数箇所を固定する測定管固定部３ａと溶補強材３の両端部内周において、測定管１の管軸中心方向に突起したアース用凸部３ｂとを備える。
【００１９】
そして、図１のライニング後の断面図下部及びＢ部詳細に示すように、ライニング材４は、アース用凸部３ｂが接液可能な位置に埋設し測定管１からアースを取り出すようにしている。
【００２０】
また、補強材３は、アース用凸部３ｂの接液面部を内周全周とし、従来のアースリングと同等の接液面積を備えるようにしておく。
【００２１】
また、各部の素材は、例えば、測定管１、補強材３、及び検出電極５は、ＳＵＳ等の耐食性の良い非磁性体とし、ライニング材４は、ゴムや、テフロン（登録商標）などの樹脂とする場合が多い。
【００２２】
このような構成の電磁流量計検出器によれば、補強材３のアース用凸部３ｂの接液面部を内周全周が被測定流体に接液するとともに、複数箇所を固定する測定管固定部３ａが測定管１に電気的に接続されるので、補強材３にアース用凸部３ｂを設けるのみで、従来のアースリングを不要とし、従来のアース性能を低下させることなく、また、従来のライニングの成形工程を変えることなく測定間１の任意の箇所からアースを取り出すことが可能となる。
【００２３】
また、図２に示すように、アース用凸部３ｂの接液部にチタンやセラミックスなどの耐食性金属をロウ付けすることで、被測定流体が腐食性の強い場合にも適応が可能となる。
【実施例２】
【００２４】
本発明の実施例２について、図３を参照して説明する。図３に示す電磁流量計検出部の各部について、図１に示す電磁流量計の各部と同じ部分は同一の記号を付し、その説明を省略する。
【００２５】
図３に示す実施例２が、図１に示す実施例１と異なる点は、実施例１の円筒型の補強材３代えて、本実施例２は、２分割された補強材３としたことにある。
【００２６】
この場合、補強材３は、複数に分割された円筒型に成形し、アース用凸部３ｂの接液面部の断面形状が、一対の検出電極軸平面ｘ１−ｘ２に対して管軸方向の各点において面対称な形状としておく。
【００２７】
このような接液面部を補強材３のアース用凸部３ｂに形成することで、アースの基準電位となる測定管１に対し対称な位置に検出電極５が設けられるので検出信号に対する内部インピーダンスを等しくする効果がある。したがって、電磁流量計のコモンモードノイズの増大を防ぐことが出来る。
【００２８】
本発明は、上述したような実施例に何ら限定されるものではなく、補強材の分割数や形状はライニング材の成形工程に合わせて適宜変更して良く、本発明の主旨を逸脱しない範囲内で種々変形して実施することができる。
【符号の説明】
【００２９】
１、２１  測定管
１ａ、２１ａ  フランジ
３  補強材
３ａ  測定管固定部
３ｂ  アース用凸部
４、２２  ライニング材
２３  アースリング
２５  リード線
２８  アース用電極
【図１】
2011209243.tif 000003
【図２】
2011209243.tif 000004
【図３】
2011209243.tif 000005
【図４】
2011209243.tif 000006
【図５】
2011209243.tif 000007